(57)【要約】【課題】セキュリティ性を維持しながら、利便性の良い認証システムを提供する。【解決手段】認証システム６は、ユーザが携帯する電子キー３との無線通信に基づいてパソコン４及びチェスト５の使用を許可する。認証システム６は、ユーザがパソコン４及びチェスト５を使用する際の位置を挟んで設置されるとともに、リクエスト信号を、使用位置Ａｕを含むように送信することで第１通信エリアＡ１及び第２通信エリアＡ２を形成する第１デバイス１０及び第２デバイス２０と、第１デバイス１０及び第２デバイス２０のどちらの通信エリアＡ１，Ａ２にも電子キー３が位置していることを条件に、パソコン４及びチェスト５の使用を許可する許可部とを備えた。【選択図】図３
2013014952.tif 000002
【特許請求の範囲】
【請求項１】
ユーザが携帯する電子キーとの無線通信に基づいて対象物の使用を許可する認証システムであって、
ユーザが前記対象物を使用する際の位置を挟んで設置されるとともに、リクエスト信号を、該位置を含むように送信することで通信エリアを形成する第１デバイス及び第２デバイスと、
前記第１デバイス及び前記第２デバイスのどちらの通信エリアにも前記電子キーが位置していることを条件に、前記対象物の使用を許可する許可手段と、を備えた
ことを特徴とする認証システム。
【請求項２】
請求項１に記載の認証システムにおいて、
前記電子キーは、前記第１デバイス及び前記第２デバイスから送信された前記リクエスト信号を受信したことに基づいてＩＤコードを含むＩＤコード信号を送信し、
前記許可手段は、前記電子キーから送信された前記ＩＤコード信号に含まれるＩＤコードによるＩＤ照合が成立したことを条件に、前記対象物の使用を許可する
ことを特徴とする認証システム。
【請求項３】
請求項２に記載の認証システムにおいて、
前記電子キーは、前記第１デバイス及び前記第２デバイスのそれぞれから送信された前記リクエスト信号をいずれも受信した際に、前記ＩＤコード信号を送信し、
前記許可手段は、前記第１デバイス又は前記第２デバイスに設けられ、前記電子キーから送信された前記ＩＤコード信号に含まれるＩＤコードによるＩＤ照合が成立したことを条件に、前記対象物の使用を許可する
ことを特徴とする認証システム。
【請求項４】
請求項２に記載の認証システムにおいて、
前記電子キーは、前記第１デバイス及び前記第２デバイスのそれぞれから送信された前記リクエスト信号をいずれも受信した際に、前記ＩＤコード信号を送信し、
前記許可手段は、前記対象物に設けられ、前記電子キーから送信された前記ＩＤコード信号に含まれるＩＤコードによるＩＤ照合が成立したことを条件に、前記対象物の使用を許可する
ことを特徴とする認証システム。
【請求項５】
請求項２に記載の認証システムにおいて、
前記電子キーは、前記第１デバイス及び前記第２デバイスから送信された各前記リクエスト信号を受信した際に、各前記リクエスト信号に対して前記ＩＤコード信号を別々に送信し、
前記第１デバイス及び前記第２デバイスは、送信した前記リクエスト信号に対して返信された前記ＩＤコード信号に含まれるＩＤコードによるＩＤ照合が成立したことを条件に、前記対象物の使用を許可する許可信号を送信し、
前記許可手段は、前記第１デバイス及び前記第２デバイスとは別の第３デバイスに設けられ、前記第１デバイス及び前記第２デバイスから送信された各前記許可信号をいずれも受信したことを条件に、前記対象物の使用を許可する
ことを特徴とする認証システム。
【請求項６】
請求項１〜５のいずれか一項に記載の認証システムにおいて、
前記第１デバイス及び前記第２デバイスは、机と椅子とのそれぞれに設置され、
前記対象物は、パーソナルコンピュータ及びチェストの少なくとも一方である
ことを特徴とする認証システム。
【発明の詳細な説明】
【技術分野】
【０００１】
この発明は、該当者に対してのみ使用可能状態とする認証システムに関する。
【背景技術】
【０００２】
オフィスのような環境では、ユーザがパーソナルコンピュータやチェスト等の対象物を使用する際に、第３者の使用を防ぐセキュリティ対策として使用権限のあるユーザのみが使用できるように認証システムを採用している。
【０００３】
従来の認証システムとしては、ユーザがパスワードを入力することによって一時的にセキュリティが解除されるものがある（例えば、特許文献１参照）。このような認証システムでは、セキュリティを解除した後に解除状態を継続すると、セキュリティ性が低下するため、一定時間が経過すると、セキュリティが設定されて使用できなくなるものがある。
【０００４】
また、パスワードの代わりに指紋や虹彩等の身体の一部を使った生体認証システムがある。生体認証システムにおいても、認証成立後セキュリティの解除状態を継続することは望ましくないので、上記同様に、一定時間が経過すると、セキュリティが設定される。
【先行技術文献】
【特許文献】
【０００５】
【特許文献１】特開２０１１−１０７９５６号公報
【発明の概要】
【発明が解決しようとする課題】
【０００６】
ところで、上記の認証システムでは、パーソナルコンピュータを見ながら、書類を確認する等のパーソナルコンピュータを操作しない作業を行う際には、一定時間経過すると、セキュリティが設定されてパーソナルコンピュータ等が使用できなくなる。このような場合には、改めてパスワードを入力して、セキュリティを解除しなければならない。また、生体認証システムでは、身体の状態によって認証が成立しなくなることがある。そこで、セキュリティ性を維持しながら、利便性の良い認証システムが求められていた。
【０００７】
この発明は、こうした実情に鑑みてなされたものであり、その目的は、セキュリティ性を維持しながら、利便性の良い認証システムを提供することにある。
【課題を解決するための手段】
【０００８】
以下、上記目的を達成するための手段及びその作用効果について説明する。
請求項１に記載の発明は、ユーザが携帯する電子キーとの無線通信に基づいて対象物の使用を許可する認証システムであって、ユーザが前記対象物を使用する際の位置を挟んで設置されるとともに、リクエスト信号を、該位置を含むように送信することで通信エリアを形成する第１デバイス及び第２デバイスと、前記第１デバイス及び前記第２デバイスのどちらの通信エリアにも前記電子キーが位置していることを条件に、前記対象物の使用を許可する許可手段と、を備えたことをその要旨としている。
【０００９】
同構成によれば、電子キーを携帯したユーザが対象物を使用する際には、第１デバイス及び第２デバイスが送信したリクエスト信号によって形成された各通信エリアのいずれにも電子キーが含まれることで、ユーザが使用位置にいることを確認することができる。そして、ユーザが使用位置にいることに基づいて対象物の使用を許可する。このため、ユーザが使用位置にいれば、ユーザの手を煩わすことなく、対象物の使用を許可することが可能となる。よって、ユーザが使用位置から外れれば、セキュリティが設定されるので、セキュリティ性を維持しながら、利便性を良くすることが可能となる。
【００１０】
請求項２に記載の発明は、請求項１に記載の認証システムにおいて、前記電子キーは、前記第１デバイス及び前記第２デバイスから送信された前記リクエスト信号を受信したことに基づいてＩＤコードを含むＩＤコード信号を送信し、前記許可手段は、前記電子キーから送信された前記ＩＤコード信号に含まれるＩＤコードによるＩＤ照合が成立したことを条件に、前記対象物の使用を許可することをその要旨としている。
【００１１】
同構成によれば、第１デバイス及び第２デバイスから送信されたリクエスト信号を電子キーが受信した際に、電子キーがＩＤコード信号を送信し、許可手段が受信した該ＩＤコード信号のＩＤ照合結果に基づいて対象物の使用を許可する。このため、電子キーから送信されたＩＤコード信号の受信によってユーザが使用位置にいるか否かを容易に判定することが可能となる。
【００１２】
請求項３に記載の発明は、請求項２に記載の認証システムにおいて、前記電子キーは、前記第１デバイス及び前記第２デバイスのそれぞれから送信された前記リクエスト信号をいずれも受信した際に、前記ＩＤコード信号を送信し、前記許可手段は、前記第１デバイス又は前記第２デバイスに設けられ、前記電子キーから送信された前記ＩＤコード信号に含まれるＩＤコードによるＩＤ照合が成立したことを条件に、前記対象物の使用を許可することをその要旨としている。
【００１３】
同構成によれば、第１デバイス及び第２デバイスのそれぞれから送信されたリクエスト信号をいずれも受信したことに基づいて電子キーがＩＤコード信号を送信し、第１デバイス又は第２デバイスに設けられた許可手段がＩＤ照合結果に基づいて対象物の使用を許可する。このため、許可手段は、電子キーから送信されたＩＤコード信号を１つ受信すれば、ユーザが使用位置にいることを判定することが可能であり、複数の無線信号を受信しなくて済む。また、許可手段が第１デバイス又は第２デバイスに設けられるので、デバイスを新たに設ける必要がない。
【００１４】
請求項４に記載の発明は、請求項２に記載の認証システムにおいて、前記電子キーは、前記第１デバイス及び前記第２デバイスのそれぞれから送信された前記リクエスト信号をいずれも受信した際に、前記ＩＤコード信号を送信し、前記許可手段は、前記対象物に設けられ、前記電子キーから送信された前記ＩＤコード信号に含まれるＩＤコードによるＩＤ照合が成立したことを条件に、前記対象物の使用を許可することをその要旨としている。
【００１５】
同構成によれば、第１デバイス及び第２デバイスのそれぞれから送信されたリクエスト信号をいずれも受信したことに基づいて電子キーがＩＤコード信号を送信し、対象物に設けられた許可手段がＩＤ照合結果に基づいて対象物の使用を許可する。このため、許可手段は、電子キーから送信されたＩＤコード信号を１つ受信すれば、ユーザが使用位置にいることを判定することが可能であり、複数の無線信号を受信しなくて済む。また、許可手段が対象物に設けられるので、デバイスを新たに設ける必要がない。
【００１６】
請求項５に記載の発明は、請求項２に記載の認証システムにおいて、前記電子キーは、前記第１デバイス及び前記第２デバイスから送信された各前記リクエスト信号を受信した際に、各前記リクエスト信号に対して前記ＩＤコード信号を別々に送信し、前記第１デバイス及び前記第２デバイスは、送信した前記リクエスト信号に対して返信された前記ＩＤコード信号に含まれるＩＤコードによるＩＤ照合が成立したことを条件に、前記対象物の使用を許可する許可信号を送信し、前記許可手段は、前記第１デバイス及び前記第２デバイスとは別の第３デバイスに設けられ、前記第１デバイス及び前記第２デバイスから送信された各前記許可信号をいずれも受信したことを条件に、前記対象物の使用を許可することをその要旨としている。
【００１７】
同構成によれば、第１デバイス及び第２デバイスが送信したリクエスト信号に対して電子キーが別々に返信したＩＤコード信号のＩＤ照合結果に基づいて第１デバイス及び第２デバイスが許可信号を送信する。そして、第１デバイス及び第２デバイスとは別の第３デバイスに設けられた許可手段が第１デバイス及び第２デバイスから送信された各許可信号を受信したことに基づいて対象物の使用を許可する。このため、電子キーは、第１デバイス及び第２デバイスから送信された両方のリクエスト信号の受信を待たずに、各デバイスからのリクエスト信号に対してＩＤコード信号をそれぞれ送信すればよいので、送信処理が容易である。
【００１８】
請求項６に記載の発明は、請求項１〜５のいずれか一項に記載の認証システムにおいて、前記第１デバイス及び前記第２デバイスは、机と椅子とのそれぞれに設置され、前記対象物は、パーソナルコンピュータ及びチェストの少なくとも一方であることをその要旨としている。
【００１９】
同構成によれば、オフィスに適用した際に、ユーザが椅子に座ってユーザが携帯した電子キーが机と椅子との間に位置し、パーソナルコンピュータやチェストをユーザのみが使用できるように、セキュリティ性を維持しながら、利便性を良くすることができる。
【発明の効果】
【００２０】
本発明によれば、認証システムにおいて、セキュリティ性を維持しながら、利便性を良くすることができる。
【図面の簡単な説明】
【００２１】
【図１】ロック状態における認証システムの位置関係を示す側面図。
【図２】ロック状態における認証システムの位置関係を示す上面図。
【図３】アンロック状態における認証システムの位置関係を示す側面図。
【図４】アンロック状態における認証システムの位置関係を示す上面図。
【図５】認証システムの概略構成を示すブロック図。
【図６】認証システムの認証処理を示すシーケンスチャート。
【図７】認証システムの概略構成を示すブロック図。
【図８】認証システムの認証処理を示すシーケンスチャート。
【図９】認証システムの概略構成を示すブロック図。
【図１０】認証システムの認証処理を示すシーケンスチャート。
【発明を実施するための形態】
【００２２】
（第１の実施形態）
以下、本発明をオフィスの認証システムに具体化した第１の実施形態について図１〜図６を参照して説明する。
【００２３】
図１〜図４に示されるように、オフィスには、机１と椅子２とが設けられている。机１の天板上には、パーソナルコンピュータ（パソコン）４が設置されている。また、机１の天板下には、書類や物品を収納するチェスト５が設置されている。パソコン４及びチェスト５は、重要な情報が収納されているので、使用権限のあるユーザＵのみが使用できるように認証システム６が設けられている。なお、パソコン４及びチェスト５が対象物に相当する。
【００２４】
図１及び図２に示されるように、認証システム６は、ユーザＵの使用権限が設定されたパソコン４やチェスト５の設置された机１からユーザＵが離れた際には、パソコン４やチェスト５のセキュリティを設定する、すなわち使用を禁止する。
【００２５】
また、図３及び図４に示されるように、認証システム６は、ユーザＵの使用権限が設定されたパソコン４やチェスト５の設置された机１の椅子２にユーザＵが着席、又は近傍に位置した際には、パソコン４やチェスト５のセキュリティを解除する、すなわち使用を許可する。
【００２６】
ここで、パソコン４におけるセキュリティの設定とはパソコン４の操作が不可能な状態であって、パソコン４におけるセキュリティの解除とはパソコン４が操作可能な状態である。また、チェスト５におけるセキュリティの設定とはチェスト５が施錠された状態であって、チェスト５におけるセキュリティの解除とはチェスト５が解錠された状態である。
【００２７】
図５に示されるように、認証システム６は、ユーザＵが携帯する電子キー３がキー固有のＩＤコード信号Ｓｉｄを送信し、電子キー３と机１及び椅子２との狭域無線通信によりＩＤ照合を実行する。電子キー３は、机１及び椅子２からの通信を契機に双方向通信を開始してＩＤ照合を行う。
【００２８】
電子キー３には、無線通信の制御を行う通信制御部３１が設けられている。通信制御部３１は、固有のキーコードとしてＩＤコードが記憶されたメモリ３１ａを備えている。通信制御部３１には、ＬＦ（Ｌｏｗ  Ｆｒｅｑｕｅｎｃｙ）帯の無線信号を受信可能なＬＦ受信部３２と、ＵＨＦ（Ｕｌｔｒａ  Ｈｉｇｈ  Ｆｒｅｑｕｅｎｃｙ）帯の無線信号を送信可能なＵＨＦ送信部３３とが接続されている。電子キー３は、ユーザＵが椅子２に着席した状態でパソコン４とチェスト５とを含む範囲（キー通信エリアＡｋ）にＩＤコード信号Ｓｉｄを送信する（図３及び図４参照）。
【００２９】
図１〜図４に示されるように、机１には、電子キー３に対してＩＤコード信号Ｓｉｄを要求する第１リクエスト信号Ｓｒｑ１を送信する第１デバイス１０が天板の裏に設置されている。また、椅子２には、電子キー３に対してＩＤコード信号Ｓｉｄを要求する第２リクエスト信号Ｓｒｑ２を送信する第２デバイス２０が座面の裏に設置されている。
【００３０】
図５に示されるように、第１デバイス１０及び第２デバイス２０は、自身から一定距離の範囲に第１リクエスト信号Ｓｒｑ１及び第２リクエスト信号Ｓｒｑ２をそれぞれ送信する。第１リクエスト信号Ｓｒｑ１及び第２リクエスト信号Ｓｒｑ２は、異なる無線信号であって、電子キー３が区別可能である。
【００３１】
第１デバイス１０には、無線通信の制御を行う第１制御部１１が設けられている。第１制御部１１は、電子キー３のＩＤコードが記憶されたメモリ１１ａを備えている。第１制御部１１には、ＬＦ帯の無線信号を送信可能な第１ＬＦ送信部１２と、ＵＨＦ帯の無線信号を受信可能な第１ＵＨＦ受信部１３とが接続されている。また、第１制御部１１は、パソコン４及びチェスト５に接続されている。第１デバイス１０は、第１ＬＦ送信部１２から無線信号を送信することで、ユーザＵが使用位置にいるか否かを確認するための第１通信エリアＡ１を形成する（図１〜図４参照）。なお、第１通信エリアＡ１が通信エリアに相当する。
【００３２】
第２デバイス２０には、無線通信の制御を行う第２制御部２１が設けられている。第２制御部２１には、ＬＦ帯の無線信号を送信可能な第２ＬＦ送信部２２が接続されている。第２デバイス２０は、第２ＬＦ送信部２２から無線信号を送信することで、ユーザＵが使用位置にいるか否かを確認するための第２通信エリアＡ２を形成する（図１〜図４参照）。そして、第１通信エリアＡ１と第２通信エリアＡ２との重複エリアが使用位置Ａｕに相当する（図１〜図４参照）。なお、第２通信エリアＡ２が通信エリアに相当する。
【００３３】
第１制御部１１は、第１ＬＦ送信部１２から第１リクエスト信号Ｓｒｑ１を間欠的に送信させる。また、第２制御部２１は、第２ＬＦ送信部２２から第２リクエスト信号Ｓｒｑ２を間欠的に送信させる。なお、第１制御部１１と第２制御部２１とは、異なるタイミングが割り振られ、第１リクエスト信号Ｓｒｑ１と第２リクエスト信号Ｓｒｑ２とを異なるタイミングで送信する。
【００３４】
本実施形態では、パソコン４及びチェスト５には、第１制御部１１が接続されている。第１制御部１１は、ユーザＵの位置に基づいてパソコン４及びチェスト５のセキュリティを設定したり、解除したりする。
【００３５】
電子キー３の通信制御部３１は、第１リクエスト信号Ｓｒｑ１と第２リクエスト信号Ｓｒｑ２との両方をＬＦ受信部３２で受信すると、自身のメモリ３１ａに登録されたＩＤコードを含ませたＩＤコード信号ＳｉｄをＵＨＦ送信部３３から返信する。すなわち、通信制御部３１は、第１リクエスト信号Ｓｒｑ１と第２リクエスト信号Ｓｒｑ２とのいずれか一方のみ受信した際には、ＩＤコード信号Ｓｉｄを送信しない。
【００３６】
第１制御部１１は、電子キー３が返信するＩＤコード信号ＳｉｄのＩＤコードと自身のメモリ１１ａに登録されたＩＤコードとを照らし合わせてＩＤ照合を行い、このＩＤ照合が成立することを確認すると、電子キー３が使用位置Ａｕに位置すると判断する。そして、第１制御部１１は、パソコン４やチェスト５のセキュリティを解除する。第１制御部１１には、ＩＤ照合を行う照合部１１ｂと、パソコン４やチェスト５の使用許可を行う許可部１１ｃとが設けられている。なお、許可部１１ｃが許可手段として機能する。
【００３７】
照合部１１ｂは、電子キー３から送信されたＩＤコード信号Ｓｉｄに含まれるＩＤコードがパソコン４やチェスト５の使用権限を持ったユーザＵのものと一致するか否かを判定する、すなわちメモリ１１ａに記憶されたＩＤコードと照合する。許可部１１ｃは、照合部１１ｂの照合結果が成立した際に、ユーザＵが使用位置Ａｕに位置すると判断して、パソコン４及びチェスト５のセキュリティを解除することで使用を許可する。許可部１１ｃは、使用を許可する許可信号Ｓｐをパソコン４及びチェスト５に出力する。パソコン４及びチェスト５は、第１デバイス１０から許可信号Ｓｐが入力されると、セキュリティの設定を解除して使用を可能とする。
【００３８】
また、許可部１１ｃは、第１リクエスト信号Ｓｒｑの間欠的な送信に合わせて、定期的に照合部１１ｂに対してＩＤ照合結果を問い合わせる。そして、許可部１１ｃは、ＩＤ照合が成立しなかったり、ＩＤ照合結果が得られなかったりした場合には、ユーザＵが使用位置Ａｕに位置しないと判断して、パソコン４及びチェスト５のセキュリティを設定することで使用を禁止する。
【００３９】
次に、前述のように構成された認証システムの動作態様について図６を合わせて参照して説明する。ここで、ユーザＵが図１及び図２に示す使用位置Ａｕ外から図３及び図４に示す使用位置Ａｕ内の椅子２に着席したとする。
【００４０】
図６に示されるように、第１デバイス１０は、第１リクエスト信号Ｓｒｑ１を間欠的に送信している（ステップＳ１）。すなわち、第１制御部１１は、第１ＬＦ送信部１２から第１リクエスト信号Ｓｒｑ１を間欠的に送信することで第１通信エリアＡ１を形成する。また、第２デバイス２０は、第１リクエスト信号Ｓｒｑ１と異なるタイミングで第２リクエスト信号Ｓｒｑ２を間欠的に送信している（ステップＳ２）。すなわち、第２制御部２１は、第２ＬＦ送信部２２から第２リクエスト信号Ｓｒｑ２を間欠的に送信することで第２通信エリアＡ２を形成する。
【００４１】
椅子２に着席したユーザＵに携帯された電子キー３は、第１通信エリアＡ１と第２通信エリアＡ２との重複エリアである使用位置Ａｕに位置するので、第１リクエスト信号Ｓｒｑ１と第２リクエスト信号Ｓｒｑ２との両方を受信する。そして、電子キー３は、ＩＤコード信号Ｓｉｄを送信する（ステップＳ３）。通信制御部３１は、ＬＦ受信部３２で第１リクエスト信号Ｓｒｑ１と第２リクエスト信号Ｓｒｑ２との両方を受信すると、ＵＨＦ送信部３３からＩＤコード信号Ｓｉｄを送信する。
【００４２】
ここで、電子キー３を携帯したユーザＵが第１通信エリアＡ１又は第２通信エリアＡ２の一方のみに進入した際には、電子キー３は、第１リクエスト信号Ｓｒｑ１又は第２リクエスト信号Ｓｒｑ２の一方のみしか受信しないため、ＩＤコード信号Ｓｉｄを送信しない。
【００４３】
第１デバイス１０は、電子キー３から送信されたＩＤコード信号Ｓｉｄを受信すると、ＩＤコード信号Ｓｉｄに含まれたＩＤコードに基づいてＩＤ照合を行う（ステップＳ４）。すなわち、照合部１１ｂは、受信したＩＤコード信号Ｓｉｄに含まれたＩＤコードと、自身のメモリ１１ａに記憶されたＩＤコードとを照合する。
【００４４】
そして、第１デバイス１０は、ＩＤ照合が成立する（ステップＳ５）と、パソコン４及びチェスト５の使用を許可する許可信号Ｓｐを出力する（ステップＳ６）。すなわち、許可部１１ｃは、照合部１１ｂによるＩＤ照合が成立したことで、ユーザＵが使用位置Ａｕに位置すると判断して、許可信号Ｓｐをパソコン４及びチェスト５に出力する。
【００４５】
パソコン４及びチェスト５は、許可信号Ｓｐが入力されると、セキュリティの設定を解除することで使用を許可する（ステップＳ７，Ｓ８）。すなわち、パソコン４は、入力操作等が可能となる。また、チェスト５は、引出等が解錠される。
【００４６】
そして、ユーザＵが席を離れると、電子キー３が使用位置Ａｕ外に位置するので、ＩＤコード信号Ｓｉｄの送信がなくなり、ＩＤ照合が成立しない。よって、パソコン４及びチェスト５は、許可信号Ｓｐの入力がなくなるので、セキュリティを設定する。すなわち、パソコン４は、入力操作等が不可能となる。また、チェスト５は、引出等が施錠される。
【００４７】
なお、該当するパソコン４及びチェスト５の使用権限を有しないユーザＵが携帯する電子キー３が使用位置Ａｕに位置した場合には、第１リクエスト信号Ｓｒｑ１及び第２リクエスト信号Ｓｒｑ２のいずれも受信した電子キー３からＩＤコード信号Ｓｉｄが送信される。しかしながら、第１制御部１１は、ＩＤ照合が成立しないのでセキュリティの設定を維持する。
【００４８】
さて、本実施例の認証システム６は、ユーザＵが電子キー３を携帯して机１と椅子２との間の使用位置Ａｕに位置するだけで、電子キー３から送信されたＩＤコード信号ＳｉｄによってＩＤ照合が成立したことによって第１デバイス１０が位置確認を行うことができる。そして、ユーザＵが使用位置Ａｕにいることに基づいて第１デバイス１０がパソコン４やチェスト５を使用可能とする。よって、セキュリティを維持しながら、利便性を良くすることができる。
【００４９】
以上、説明した実施形態によれば、以下の効果を奏することができる。
（１）電子キー３を携帯したユーザＵがパソコン４及びチェスト５を使用する際には、第１デバイス１０及び第２デバイス２０が送信したリクエスト信号Ｓｒｑ１，Ｓｒｑ２によって形成された第１通信エリアＡ１及び第２通信エリアＡ２のいずれにも電子キー３が含まれることで、ユーザＵが使用位置にいることを確認することができる。そして、ユーザＵが使用位置Ａｕにいることに基づいてパソコン４及びチェスト５の使用を許可する。このため、ユーザＵが使用位置Ａｕにいれば、ユーザＵの手を煩わすことなく、パソコン４及びチェスト５の使用を許可することができる。よって、ユーザＵが使用位置から外れれば、セキュリティが設定されるので、セキュリティを維持しながら、利便性を良くすることができる。
【００５０】
（２）第１デバイス１０及び第２デバイス２０から送信されたリクエスト信号Ｓｒｑ１，Ｓｒｑ２を電子キー３が受信した際に、電子キー３がＩＤコード信号Ｓｉｄを送信し、第１デバイス１０が受信した該ＩＤコード信号ＳｉｄのＩＤ照合結果に基づいてパソコン４及びチェスト５の使用を許可する。このため、電子キー３から送信されたＩＤコード信号Ｓｉｄの受信によってユーザＵが使用位置にいるか否かを容易に判定することができる。
【００５１】
（３）第１デバイス１０及び第２デバイス２０のそれぞれから送信されたリクエスト信号Ｓｒｑ１，Ｓｒｑ２をいずれも受信したことに基づいて電子キー３がＩＤコード信号Ｓｉｄを送信し、第１デバイス１０に設けられた許可部１１ｃがＩＤ照合結果に基づいてパソコン４及びチェスト５の使用を許可する。このため、許可部１１ｃは、電子キー３から送信されたＩＤコード信号Ｓｉｄを１つ受信すれば、ユーザＵが使用位置にいることを判定することができ、複数の無線信号を受信しなくて済む。また、許可部１１ｃが第１デバイス１０に設けられるので、デバイスを新たに設ける必要がない。
【００５２】
（４）オフィスに適用した際に、ユーザＵが椅子２に座ってユーザＵが携帯した電子キー３が机１と椅子２との間に位置し、パソコン４やチェスト５をユーザＵのみが使用できるように、セキュリティを維持しながら、利便性を良くすることができる。
【００５３】
（第２の実施形態）
以下、本発明をオフィスの認証システムに具体化した第２の実施形態について、図７及び図８を参照して説明する。この実施形態の認証システム６は、電子キー３から送信されたＩＤコード信号Ｓｉｄを対象物が受信して、対象物の使用許可を対象物自身が行う点が上記第１の実施形態と異なっている。以下、第１の実施形態との相違点を中心に説明する。
【００５４】
図７に示されるように、パソコン４には、コントロールユニットとしての制御部４１が設けられている。制御部４１に設けられたメモリ４１ａには、電子キー３のＩＤコードが記憶されている。制御部４１には、ＵＨＦ帯の無線信号を受信可能なＵＨＦ受信部４２が接続されている。
【００５５】
また、チェスト５には、無線通信の制御を行う制御部５１が設けられている。制御部５１に設けられたメモリ５１ａには、電子キー３のＩＤコードが記憶されている。制御部５１には、ＵＨＦ帯の無線信号を受信可能なＵＨＦ受信部５２が接続されている。
【００５６】
電子キー３は、第１リクエスト信号Ｓｒｑ１及び第２リクエスト信号Ｓｒｑ２を受信すると、第１の実施形態と同様に、ＩＤコード信号Ｓｉｄを送信する。パソコン４及びチェスト５は、電子キー３から送信されたＩＤコード信号ＳｉｄをＵＨＦ受信部４２によって直接受信し、ＩＤ照合が成立すると使用を許可する。具体的には、パソコン４の制御部４１の照合部４１ｂは、受信したＩＤコード信号Ｓｉｄに含まれるＩＤコードがパソコン４の使用権限を持ったユーザＵのものと一致するか否かを判定する、すなわちメモリ４１ａに記憶されたＩＤコードと照合する。そして、許可部４１ｃは、照合部４１ｂの照合結果が成立した際に、ユーザＵが使用位置Ａｕに位置すると判断して、セキュリティを解除することで使用を許可する。パソコン４は、第１デバイス１０から許可信号Ｓｐが入力されると、セキュリティの設定を解除して使用を可能とする。
【００５７】
同様に、チェスト５の制御部５１の照合部５１ｂは、受信したＩＤコード信号Ｓｉｄに含まれるＩＤコードがチェスト５の使用権限を持ったユーザＵのものと一致するか否かを判定する、すなわちメモリ５１ａに記憶されたＩＤコードと照合する。そして、許可部５１ｃは、照合部５１ｂの照合結果が成立した際に、ユーザＵが使用位置Ａｕに位置すると判断して、セキュリティを解除することで使用を許可する。チェスト５は、第１デバイス１０から許可信号Ｓｐが入力されると、セキュリティの設定を解除して使用を可能とする。
【００５８】
また、各許可部４１ｃ，５１ｃは、定期的に照合部４１ｂ，５１ｂに対してＩＤ照合結果を問い合わせ、ＩＤ照合が成立した場合には、ユーザＵが使用位置Ａｕに位置すると判断して、パソコン４及びチェスト５のセキュリティの解除を維持する。一方、許可部４１ｃ，５１ｃは、ＩＤ照合が成立しなかったり、ＩＤ照合結果が得られなかったりした場合には、ユーザＵが使用位置Ａｕに位置しないと判断して、パソコン４及びチェスト５のセキュリティを設定することで使用を禁止する。
【００５９】
次に、前述のように構成された認証システムの動作態様について図８を合わせて参照して説明する。ここで、ユーザＵが図１及び図２に示す使用位置Ａｕ外から図３及び図４に示す使用位置Ａｕ内の椅子２に着席したとする。
【００６０】
図８に示されるように、第１の実施形態と同様に、第１デバイス１０は、第１リクエスト信号Ｓｒｑ１を間欠的に送信している（ステップＳ１１）。また、第２デバイス２０は、第１リクエスト信号Ｓｒｑ１と異なるタイミングで第２リクエスト信号Ｓｒｑ２を間欠的に送信している（ステップＳ１２）。
【００６１】
椅子２に着席したユーザＵに携帯された電子キー３は、使用位置Ａｕに位置するので、第１リクエスト信号Ｓｒｑ１と第２リクエスト信号Ｓｒｑ２との両方を受信し、ＩＤコード信号Ｓｉｄを送信する（ステップＳ１３）。通信制御部３１は、ＬＦ受信部３２で第１リクエスト信号Ｓｒｑ１と第２リクエスト信号Ｓｒｑ２との両方を受信すると、ＵＨＦ送信部３３からＩＤコード信号ＳｉｄをユーザＵが椅子２に着席した状態でパソコン４とチェスト５とを含む範囲に送信する。通信制御部３１は、ＩＤコード信号Ｓｉｄを送信することで、キー通信エリアＡｋを形成する。
【００６２】
続いて、本実施形態では、電子キー３から送信されたＩＤコード信号Ｓｉｄをパソコン４及びチェスト５が受信する。パソコン４は、電子キー３から送信されたＩＤコード信号Ｓｉｄを受信すると、ＩＤコード信号Ｓｉｄに含まれたＩＤコードに基づいてＩＤ照合を行う（ステップＳ１４）。すなわち、照合部４１ｂは、受信したＩＤコード信号Ｓｉｄに含まれたＩＤコードと、自身のメモリ４１ａに記憶されたＩＤコードとを照合する。
【００６３】
そして、パソコン４は、ＩＤ照合が成立する（ステップＳ１５）と、使用を許可する（ステップＳ１６）。すなわち、許可部４１ｃは、照合部４１ｂによるＩＤ照合が成立したことで、ユーザＵが使用位置Ａｕに位置すると判断して使用を許可する。すなわち、パソコン４は、入力操作等を可能とする。
【００６４】
チェスト５も同様に、チェスト５は、電子キー３から送信されたＩＤコード信号Ｓｉｄを受信すると、ＩＤコード信号Ｓｉｄに含まれたＩＤコードに基づいてＩＤ照合を行う（ステップＳ１７）。すなわち、照合部５１ｂは、受信したＩＤコード信号Ｓｉｄに含まれたＩＤコードと、自身のメモリ５１ａに記憶されたＩＤコードとを照合する。
【００６５】
そして、チェスト５は、ＩＤ照合が成立する（ステップＳ１８）と、使用を許可する（ステップＳ１９）。すなわち、許可部５１ｃは、照合部５１ｂによるＩＤ照合が成立したことで、ユーザＵが使用位置Ａｕに位置すると判断して使用を許可する。すなわち、チェスト５は、引出等を解錠する。
【００６６】
そして、ユーザＵが席を離れると、電子キー３が使用位置Ａｕ外に位置するので、ＩＤコード信号Ｓｉｄの送信がなくなり、ＩＤ照合が成立しない。よって、パソコン４及びチェスト５は、ＩＤコード信号Ｓｉｄの受信がなくなるので、セキュリティを設定する。すなわち、パソコン４は、入力操作等を不可能とする。また、チェスト５は、引出等を施錠する。
【００６７】
さて、本実施例の認証システム６は、ユーザＵが電子キー３を携帯して机１と椅子２との間の使用位置Ａｕに位置するだけで、電子キー３から送信されたＩＤコード信号ＳｉｄによってＩＤ照合が成立したことによってパソコン４及びチェスト５が位置確認をそれぞれ自ら行うことができる。そして、パソコン４及びチェスト５は、ユーザＵが使用位置Ａｕにいることに基づいて使用可能となる。よって、セキュリティを維持しながら、利便性を良くすることができる。
【００６８】
以上、説明した実施形態によれば、第１の実施形態の（１）、（２）、及び（４）の効果に加え、以下の効果を奏することができる。
（５）第１デバイス１０及び第２デバイス２０のそれぞれから送信されたリクエスト信号Ｓｒｑ１，Ｓｒｑ２をいずれも受信したことに基づいて電子キー３がＩＤコード信号Ｓｉｄを送信し、パソコン４及びチェスト５に設けられた許可部４１ｃ，５１ｃがＩＤ照合結果に基づいてパソコン４及びチェスト５の使用を許可する。このため、許可部４１ｃ，５１ｃは、電子キー３から送信されたＩＤコード信号Ｓｉｄを１つ受信すれば、ユーザＵが使用位置にいることを判定することができ、複数の無線信号を受信しなくて済む。また、許可部４１ｃ，５１ｃがパソコン４及びチェスト５に設けられるので、デバイスを新たに設ける必要がない。
【００６９】
（第３の実施形態）
以下、本発明をオフィスの認証システムに具体化した第３の実施形態について、図９及び図１０を参照して説明する。この実施形態の認証システムは、第１デバイス１０及び第２デバイス２０とは別に第３デバイス６０を備え、第３デバイス６０が対象物の使用許可を行う点が上記第１の実施形態と異なっている。以下、第１の実施形態との相違点を中心に説明する。
【００７０】
図９に示されるように、机１には、第１デバイス１０及び第２デバイス２０とは異なる第３デバイス６０が設けられている。第３デバイス６０には、無線通信の制御を行う第３制御部６１が設けられている。第３制御部６１には、ＵＨＦ帯の無線信号を受信可能な第３ＵＨＦ受信部６２が接続されている。また、第３制御部６１は、パソコン４及びチェスト５に接続されている。第３制御部６１には、パソコン４やチェスト５の使用許可を行う許可部６１ａが設けられている。なお、許可部６１ａが許可手段として機能する。
【００７１】
本実施例では、電子キー３は、第１デバイス１０から送信された第１リクエスト信号Ｓｒｑを受信すると、第１ＩＤコード信号Ｓｉｄ１を返信し、第２デバイス２０から送信された第２リクエスト信号Ｓｒｑを受信すると、第２ＩＤコード信号Ｓｉｄ２を返信する。すなわち、電子キー３は、両リクエスト信号Ｓｒｑ１，Ｓｒｑ２の受信を待つことなく、受信した各リクエスト信号Ｓｒｑに対応するそれぞれのＩＤコード信号Ｓｉｄ１，Ｓｉｄ２を送信する。なお、第１ＩＤコード信号Ｓｉｄ１と第２ＩＤコード信号Ｓｉｄ２とは、異なる信号である。
【００７２】
第１デバイス１０は、送信した第１リクエスト信号Ｓｒｑ１に対応して電子キー３から返信された第１ＩＤコード信号Ｓｉｄ１を第１ＵＨＦ受信部１３で受信すると、ＩＤ照合を行う。第１デバイス１０は、第１ＩＤコード信号Ｓｉｄ１に含まれるＩＤコードと、自身のメモリ１１ａに記憶されたＩＤコードとを照らし合わせてＩＤ照合を行う。第１デバイス１０は、ＩＤ照合が成立すると、パソコン４やチェスト５の使用を許可する第１許可信号Ｓｐ１を第１ＬＦ送信部１２から送信する。
【００７３】
同様に、第２デバイス２０は、送信した第２リクエスト信号Ｓｒｑ２に対応して電子キー３から返信された第２ＩＤコード信号Ｓｉｄ２を第２ＵＨＦ受信部２３で受信すると、ＩＤ照合を行う。第２デバイス２０の照合部２１ｂは、第２ＩＤコード信号Ｓｉｄ２に含まれるＩＤコードと、自身のメモリ２１ａに記憶されたＩＤコードとを照らし合わせてＩＤ照合を行う。照合部２１ｂは、ＩＤ照合が成立すると、パソコン４やチェスト５の使用を許可する第２許可信号Ｓｐ２を第２ＬＦ送信部２２から送信する。
【００７４】
第３デバイス６０は、第１デバイス１０から送信された第１許可信号Ｓｐ１と第２デバイス２０から送信された第２許可信号Ｓｐ２との両方を第３ＵＨＦ受信部６２で受信すると、電子キー３が使用位置Ａｕに位置すると判断する。そして、第３制御部６１は、パソコン４やチェスト５のセキュリティを解除する。
【００７５】
第３デバイス６０の許可部６１ａは、第１許可信号Ｓｐ１と第２許可信号Ｓｐ２とを受信した際に、ユーザＵが使用位置Ａｕに位置すると判断して、パソコン４及びチェスト５のセキュリティを解除することで使用を許可する。許可部６１ａは、使用を許可する第３許可信号Ｓｐ３をパソコン４及びチェスト５に出力する。パソコン４及びチェスト５は、第３デバイス６０から第３許可信号Ｓｐ３が入力されると、セキュリティの設定を解除して使用を可能とする。
【００７６】
また、許可部６１ａは、リクエスト信号Ｓｒｑ１，リクエスト信号Ｓｒｑ２の間欠的な送信に合わせて、両許可信号Ｓｐ１，Ｓｐ２を受信しているか否かを定期的に確認する。そして、許可部６１ａは、両許可信号Ｓｐ１，Ｓｐ２を受信しない場合には、ユーザＵが使用位置Ａｕに位置しないと判断して、パソコン４及びチェスト５のセキュリティを設定することで使用を禁止する。
【００７７】
次に、前述のように構成された認証システムの動作態様について図１０を合わせて参照して説明する。ここで、ユーザＵが図１及び図２に示す使用位置Ａｕ外から図３及び図４に示す使用位置Ａｕ内の椅子２に着席したとする。
【００７８】
図１０に示されるように、まず、第１デバイス１０は、第１リクエスト信号Ｓｒｑ１を間欠的に送信している（ステップＳ２１）。椅子２に着席したユーザＵに携帯された電子キー３は、使用位置Ａｕに位置するので、第１リクエスト信号Ｓｒｑ１を受信し、第１ＩＤコード信号Ｓｉｄ１を送信する（ステップＳ２２）。すなわち、通信制御部３１は、ＬＦ受信部３２で第１リクエスト信号Ｓｒｑ１を受信すると、ＵＨＦ送信部３３から第１ＩＤコード信号Ｓｉｄ１を送信する。
【００７９】
第１デバイス１０は、電子キー３から送信された第１ＩＤコード信号Ｓｉｄ１を受信すると、第１ＩＤコード信号Ｓｉｄ１に含まれたＩＤコードに基づいてＩＤ照合を行う（ステップＳ２３）。そして、第１デバイス１０は、ＩＤ照合が成立する（ステップＳ２４）と、パソコン４及びチェスト５の使用を許可する第１許可信号Ｓｐ１を出力する（ステップＳ２５）。すなわち、照合部１１ｂは、ＩＤ照合が成立したことで第１ＬＦ送信部１２から第１許可信号Ｓｐ１を送信する。
【００８０】
また、第２デバイス２０は、第１リクエスト信号Ｓｒｑ１と異なるタイミングで第２リクエスト信号Ｓｒｑ２を間欠的に送信している（ステップＳ２６）。椅子２に着席したユーザＵに携帯された電子キー３は、使用位置Ａｕに位置するので、第２リクエスト信号Ｓｒｑ２を受信し、第２ＩＤコード信号Ｓｉｄ２を送信する（ステップＳ２７）。すなわち、通信制御部３１は、ＬＦ受信部３２で第１リクエスト信号Ｓｒｑ１を受信すると、ＵＨＦ送信部３３から第２ＩＤコード信号Ｓｉｄ２を送信する。
【００８１】
第２デバイス２０は、電子キー３から送信された第２ＩＤコード信号Ｓｉｄ２を受信すると、第２ＩＤコード信号Ｓｉｄ２に含まれたＩＤコードに基づいてＩＤ照合を行う（ステップＳ２８）。そして、第２デバイス２０は、ＩＤ照合が成立する（ステップＳ２９）と、パソコン４及びチェスト５の使用を許可する第２許可信号Ｓｐ２を出力する（ステップＳ３０）。すなわち、照合部２１ｂは、ＩＤ照合が成立したことで第２ＬＦ送信部２２から第２許可信号Ｓｐ２を送信する。
【００８２】
続いて、本実施形態では、第１デバイス１０及び第２デバイス２０から送信された許可信号Ｓｐ１，Ｓｐ２を第３デバイス６０が受信する。第３デバイス６０は、第３許可信号Ｓｐ３を出力する（ステップＳ３１）。すなわち、許可部６１ａは、第１デバイス１０から送信された第１許可信号Ｓｐ１及び第２デバイス２０から送信された第２許可信号Ｓｐ２を受信すると、ユーザＵが使用位置Ａｕに位置すると判断して、許可信号Ｓｐをパソコン４及びチェスト５に出力する。
【００８３】
パソコン４及びチェスト５は、第３許可信号Ｓｐ３が入力されると、セキュリティの設定を解除することで使用を許可する（ステップＳ３２，Ｓ３３）。すなわち、パソコン４は、入力操作等が可能となる。また、チェスト５は、引出等が解錠される。
【００８４】
そして、ユーザＵが席を離れると、電子キー３が使用位置Ａｕ外に位置するので、各ＩＤコード信号Ｓｉｄ１，Ｓｉｄ２の送信がなくなり、ＩＤ照合が成立しない。そして、各許可信号Ｓｐ１，Ｓｐ２の送信がなくなり、第３許可信号Ｓｐ３の出力がなくなる。よって、パソコン４及びチェスト５は、第３許可信号Ｓｐ３の入力がなくなるので、セキュリティを設定する。すなわち、パソコン４は、入力操作等が不可能となる。また、チェスト５は、引出等が施錠される。
【００８５】
さて、本実施例の認証システム６は、ユーザＵが電子キー３を携帯して机１と椅子２との間の使用位置Ａｕに位置すると、電子キー３が各リクエスト信号Ｓｒｑ１，Ｓｒｑ２に応じてＩＤコード信号Ｓｉｄ１，Ｓｉｄ２をそれぞれ送信する。よって、電子キー３は、受信したリクエスト信号Ｓｒｑ１，Ｓｒｑ２に対して返信すればよく、両リクエスト信号Ｓｒｑ１，Ｓｒｑ２の受信を待つ必要がない。そして、第１デバイス１０及び第２デバイス２０は、受信したＩＤコード信号Ｓｉｄ１，Ｓｉｄ２のＩＤ照合が成立したことによって許可信号Ｓｐ１，Ｓｐ２を送信する。第３デバイス６０は、第１許可信号Ｓｐ１及び第２許可信号Ｓｐ２の受信によってユーザＵの位置確認を行い、ユーザＵが使用位置Ａｕにいることに基づいて使用可能となる。よって、セキュリティを維持しながら、利便性を良くすることができる。
【００８６】
以上、説明した実施形態によれば、第１の実施形態の（１）、（２）、及び（４）の効果に加え、以下の効果を奏することができる。
（６）第１デバイス１０及び第２デバイス２０が送信したリクエスト信号Ｓｒｑ１，Ｓｒｑ２に対して電子キー３が別々に返信したＩＤコード信号Ｓｉｄ１，Ｓｉｄ２のＩＤ照合結果に基づいて第１デバイス１０及び第２デバイス２０が許可信号Ｓｐ１，Ｓｐ２を送信する。そして、第１デバイス１０及び第２デバイス２０とは別の第３デバイスに設けられた許可部６１ａが第１デバイス１０及び第２デバイス２０から送信された各許可信号Ｓｐ１，Ｓｐ２を受信したことに基づいてパソコン４及びチェスト５の使用を許可する。このため、電子キー３は、第１デバイス１０及び第２デバイス２０から送信された両方のリクエスト信号Ｓｒｑ１，Ｓｒｑ２の受信を待たずに、各デバイス１０，２０からのリクエスト信号Ｓｒｑ１，Ｓｒｑ２に対してＩＤコード信号Ｓｉｄ１，Ｓｉｄ２をそれぞれ送信すればよいので、送信処理が容易である。
【００８７】
なお、上記実施形態は、これを適宜変更した以下の形態にて実施することができる。
・上記構成において、電子キー３の形状は、ユーザＵが携帯できれば、どのような形状でもよい。例えば、電子キー３をカード形状としてもよい。
【００８８】
・上記実施形態では、ユーザＵが椅子２に着席した状態でパソコン４及びチェスト５に届く範囲に電子キー３が無線信号を送信してキー通信エリアＡｋを形成した。しかしながら、電子キー３が送信する無線信号がパソコン４及びチェスト５に届く必要がなければ、狭い範囲にキー通信エリアＡｋを形成してもよい。ここで、電子キー３から送信される無線信号のキー通信エリアＡｋが狭いほどユーザＵの位置把握が厳密になり、セキュリティ性を向上させることができる。
【００８９】
・上記実施形態では、第１デバイス１０を机１の天板の裏に設置するとともに、第２デバイス２０を椅子２の座面の裏に設置したが、ユーザＵの使用位置Ａｕを挟むように任意の場所に設置してもよい。
【００９０】
・上記実施形態では、机１と椅子２との間にユーザＵが着席している状態を使用位置Ａｕとしてセキュリティを解除するようにしたが、ユーザＵの作業態様に合わせて使用位置Ａｕを設定してもよい。
【００９１】
・上記実施形態では、パソコン４とチェスト５をセキュリティの対象物としたが、キャビネット等の他のものを対象物としてもよい。
・上記実施形態では、本発明をオフィスのセキュリティに適用したが、オフィスに限らず、セキュリティが他の場所に適用してもよい。
【符号の説明】
【００９２】
１…机、２…椅子、３…電子キー、４…対象物としてのパーソナルコンピュータ（パソコン）、５…対象物としてのチェスト、６…認証システム、１０…第１デバイス、１１…第１制御部、１１ａ…メモリ、１１ｂ…照合部、１１ｃ…許可手段としての許可部、１２…第１ＬＦ送信部、１３…第１ＵＨＦ受信部、２０…第２デバイス、２１…第２制御部、２２…第２ＬＦ送信部、３１…通信制御部、３２…ＬＦ受信部、３３…ＵＨＦ送信部、Ａ１…第１通信エリア、Ａ２…第２通信エリア、Ａｋ…キー通信エリア、Ａｕ…使用位置、Ｓｉｄ…ＩＤコード信号、Ｓｒｑ１…第１リクエスト信号、Ｓｒｑ２…第２リクエスト信号、Ｕ…ユーザ。
【図１】
2013014952.tif 000003
【図２】
2013014952.tif 000004
【図３】
2013014952.tif 000005
【図４】
2013014952.tif 000006
【図５】
2013014952.tif 000007
【図６】
2013014952.tif 000008
【図７】
2013014952.tif 000009
【図８】
2013014952.tif 000010
【図９】
2013014952.tif 000011
【図１０】
2013014952.tif 000012